(57)【要約】検体の免疫学的検査方法において、標識抗体を含浸させてあるフィルターを内蔵したキャップを希釈検体液を収容した容器本体に装着し、その容器から希釈検体液をテストデバイスに注入して反応を観察し、検体中の対象物の有無を検査する検体の検査方法。検査者の個人差による影響を少なくすると共に、非特異的な反応の発生を防止し、診断結果の再現性と試薬の保存安定性に富む検査方法である。希釈検体液を収容するための容器本体に標識抗体を含浸させてあるフィルターを内蔵したキャップを装着してあり、上記検査方法に用いるための検体収容容器。簡易診断キットの構成器具に適している。
2004081568.tif 000002
【特許請求の範囲】
【請求項１】
検体の免疫学的検査方法において、標識抗体を含浸させてあるフィルターを内蔵したキャップを希釈検体液を収容した容器本体に装着し、その容器から希釈検体液をテストデバイスに注入して反応を観察し、検体中の対象物の有無を検査することを特徴とする検体の検査方法。
【請求項２】
標識抗体が金コロイド標識抗体である請求項１に記載の検査方法。
【請求項３】
検体中の対象物がインフルエンザウイルスである請求項１又は２に記載の検査方法。
【請求項４】
簡易診断用キットにおいて検体と標識抗体とを反応させる方法として用いる請求項１から３のいずれかに記載の検査方法。
【請求項５】
希釈検体液を収容するための容器本体に標識抗体を含浸させてあるフィルターを内蔵したキャップを装着してあり、請求項１から４のいずれかに記載の検査方法に用いるための検体収容用容器。
【請求項６】
標識抗体が金コロイド標識抗体である請求項５に記載の検体収容用容器。
【請求項７】
検体中の対象物がインフルエンザウイルスである請求項５又は６に記載の検体収容用容器。
【請求項８】
簡易診断用キットの構成器具として用いる請求項５から７のいずれかに記載の検体収容用容器。
【発明の詳細な説明】
【技術分野】  本発明は、抗原抗体反応を用いる免疫学的な検査方法において、検体中の対象物の有無を検査する方法及びその検査方法に用いる検体収容用容器に関する。詳しくは、抗原抗体による免疫反応を応用した検査方法において、検体中の対象物の有無を簡易かつ迅速に検査できる新規な検査方法及びその検査方法に用いる新規な検体収容用容器に関する。
【背景技術】  抗原抗体反応を用いる免疫学的な検査方法は、各種の臨床検査に広く応用されている。その一般的な方法は、血液、尿、痰、唾液、鼻汁などの検体又はその希釈検体液を、酵素、貴金属コロイド、着色ラテックス、色素などの呈色識別物質で抗体を標識した標識抗体液と接触させ、検体中の抗原と標識抗体とを特異的に反応させて抗原抗体の免疫複合体を形成させ、免疫複合体の量を目視により又は光学的な変化として測定し、検体中の抗原の定性測定又は定量測定をおこなっている。
上記の検査方法を応用して、ウイルス感染の有無、妊娠の判定、ガン疾患の罹病確認などを簡易かつ迅速に検査・診断する器具としてさまざまな簡易診断用キットが開発され、市販されている。その一例として、インフルエンザウイルス感染の有無を検査・診断する簡易診断用キットの現状について説明する。
インフルエンザウイルスを簡易かつ迅速に診断する試薬や器具は、近年、従来の抗生物質や鎮痛薬のむやみな投与を回避することに加えて、治療可能な抗ウイルス性の医薬品が適用可能となったことから、実用化が急速に進み、各社によりＥＬＩＳＡ（ｅｎｚｙｍｅ−ｌｉｎｋｅｄ  ｉｍｍｕｎｏｓｏｒｂｅｎｔ  ａｓｓａｙ）をベースにした簡易診断用キットが開発され、市販されている。特開２００１−１２４７７５号公報や特開２０００−２３０９３１号公報にはこれらの一例が開示されている。また、Ａ型インフルエンザウイルス又はＢ型インフルエンザウイルスにそれぞれ効果がある薬剤が登場して以来、Ａ型・Ｂ型を鑑別・測定することが可能な試薬や器具が開発されている。その代表例として、金コロイド標識抗体液を用いたインフルエンザ感染の簡易診断用キットの使用方法について説明すると、以下のとおりである。
（参考例１）
＜従来の金コロイド標識抗体液を用いたインフルエンザ感染の簡易診断用キットの使用方法（フロースルー法によるサンドイッチタイプ簡易型測定方法）＞
イ．まず、緩衝液に界面活性剤などを添加して製した希釈液に鼻汁や鼻腔拭い液などとして採取した検体を加えて攪拌し、希釈検体液（前処理検体液）とし、先端にフィルター付きキャップを取り付けたチューブ状第１容器に充填する。
ロ．この希釈検体液をキャップのフィルターを通してチューブ状第１容器からチューブ状第２容器に移し、その中に金コロイド標識抗インフルエンザ抗体懸濁液（金コロイド標識抗体液）を数滴滴下し、十分に混和して反応させ、検体中のインフルエンザウイルスと金コロイド標識抗インフルエンザ抗体との複合体を形成させる。チューブ状第２容器には、上記イ．工程で用いたものとは別のフィルター付きキャップを取り付けて、２〜５分間ほど静置する。
ハ．チューブ状第２容器内の混和液の全量を抗インフルエンザ抗体を固定化してある担体（メンブレンなどの多孔性膜材）と吸収材（脱脂綿や吸収紙など）を充填してあるテストデバイス（免疫測定デバイス）に注入して担体に検体中のインフルエンザウイルスと金コロイド標識抗インフルエンザ抗体との複合体を吸着させた後、テストデバイスに洗浄液を注入して担体を洗浄する。
ニ．次いで、テストデバイス上の反応を観察してインフルエンザウイルス感染の有無及びインフルエンザウイルスの種別（Ａ型かＢ型か）を鑑別・診断する。
上記従来のインフルエンザ感染の有無の簡易診断用キットは、簡便な検査器具であるが、改良すべき点がいくつかある。
すなわち、希釈検体液と金コロイド標識抗体とを反応させるには、上記のとおり、検査者が希釈検体液に金コロイド標識抗体液を滴下する必要があり、第１容器から第２容器へ移し替えるなどの煩雑な操作が必要である。また、検査者の個人差により金コロイド標識抗体液の滴下量が変動しやすいため、測定結果の再現性に難がある。その上、金コロイド標識抗体液は、温度によって単独で凝集しやすくなり、フィルター付キャップを通過しなくなることがあることをはじめ、検査時にテストデバイス上に金コロイド標識抗体が洗浄・濾過されずに残存して、担体全体を着色したり、担体に固定化されている抗体と非特異的に結合して、誤った呈色が生じて偽陽性と判断される原因となりやすい。特に低温条件や薄い溶液の場合、１年を越える長期保存は困難であると推測される。
従来市販の免疫学的な検査方法を応用した簡易診断用キットでは、上記インフルエンザウイルス感染の診断用キットの例に見るとおり、希釈検体液に標識抗体液を混和して免疫複合体を形成する方法を採るものが多い。したがって、インフルエンザウイルス感染の有無の診断用キットの改良すべき点は、そのまま市販の簡易診断用キット全般にも妥当する。
すなわち、従来市販の簡易診断用キットにおいて、検体と標識抗体とを反応させるには、希釈検体液と標識抗体液とを混和する必要があり、多くの場合、検査者が希釈検体液に数滴の標識抗体液を滴下する方法を採っている。しかし、この方法では、検査者の個人差によって標識抗体液の滴下量が変動しやすい。例えば１滴滴下したときと３滴滴下したときでは滴下量が大きく相違することになる。標識抗体液の滴下量が少ないと感度が不足して十分な反応が起こらず、滴下量が多いと非特異的な反応が発生する確率が高くなるなど、検査結果について標識抗体の滴下量に起因する誤差を生じやすい。その上、標識抗体は液状のままで長期保存すると正確な測定が困難になることがある。本発明は、これら従来の検査方法及び検査用器具の問題点を全て解決するものである。
なお、非特許文献であるが、金澤実・菅谷憲夫編集「インフルエンザ診療マニュアル」（株式会社南江堂２００１年２月２０日第１刷発行１１０〜１１５頁）の説明も参考となる。
【発明の開示】
上記の状況に鑑み、本発明は、抗原抗体反応を用いる免疫学的な検査方法において、検査者の個人差による影響を少なくすると共に非特異的な反応の発生を防止し、診断結果の再現性と試薬の保存安定性に富んだ検査方法を提供すること及びその検査方法に用いる検体収容用容器を提供することを第１の課題とする。また、本発明は、インフルエンザウイルス感染の有無の検査方法において、検査者の個人差による影響を少なくすると共に非特異的な反応の発生を防止し、診断結果の再現性と試薬の保存安定性に富んだ検査方法を提供すること及びその検査方法に用いる検体収容用容器を提供することを第２の課題とする。さらに、本発明は、免疫学的検査方法を応用した簡易診断用キットについて、その使用方法をさらに簡便化し、検査者の個人差による影響を少なくすると共に非特異的な反応の発生を防止し、診断結果の再現性と試薬の保存安定性に富んだ検査方法を提供すること及びその検査方法に用いる検体収容用容器を提供することを第３の課題とするものである。
上記の諸課題を解決するための本発明のうち、請求項１に記載する発明は、検体の免疫学的検査方法において、標識抗体を含浸させてあるフィルターを内蔵したキャップを希釈検体液を収容した容器本体に装着し、その容器から希釈検体液をテストデバイスに注入して反応を観察し、検体中の対象物の有無を検査することを特徴とする検体の検査方法である。
また、本発明のうち請求項２に記載する発明は、標識抗体が金コロイド標識抗体である請求項１に記載の検査方法である。
また、本発明のうち請求項３に記載する発明は、検体中の対象物がインフルエンザウイルスである請求項１又は２に記載の検査方法である。
また、本発明のうち請求項４に記載する発明は、簡易診断用キットにおいて検体と標識抗体とを反応させる方法として用いる請求項１から３のいずれかに記載の検査方法である。
また、本発明のうち請求項５に記載する発明は、希釈検体液を収容するための容器本体に標識抗体を含浸させてあるフィルターを内蔵したキャップを装着してあり、請求項１から４のいずれかに記載の検査方法に用いるための検体収容用容器である。
また、本発明のうち請求項６に記載する発明は、標識抗体が金コロイド標識抗体である請求項５に記載の検体収容用容器である。
また、本発明のうち請求項７に記載する発明は、検体中の対象物がインフルエンザウイルスである請求項５又は６に記載の検体収容用容器である。
また、本発明のうち請求項８に記載する発明は、簡易診断用キットの構成器具として用いる請求項５から７のいずれかに記載の検体収容用容器である。
【図面の簡単な説明】  図１は、本発明に係る検体の検査方法及びその検査方法に用いる検体収容用容器の一例の模式図である。図１において、符号の１は検体収容用容器の容器本体を、１１は希釈検体液を、１２は容器本体の口端部をそれぞれ示す。また、１ＡはインフルエンザＡ型ウイルス抗原を、１ＢはインフルエンザＢ型ウイルス抗原を示す。さらに、２はキャップを、２１は金コロイド標識抗体を含浸させてあるフィルターを、２２と２３は他のフィルターを、２４はキャップの嵌合部を、２５はキャップのノズル部を、３は容器本体にキャップを取り付けた検体収容用容器を示す。また、４はテストデバイスを、４１はその開口部を、４２はその表面をそれぞれ示す。
【発明を実施するための最良の形態】  本発明では、検体と標識抗体を接触させる方法として、従来のように希釈検体液に標識抗体液を滴下するなどの方法で希釈検体液と標識抗体液とを混和するのではなく、標識抗体を含浸させたフィルターを作り、そのフィルターをキャップに内蔵させ、希釈検体液を収容した容器本体にそのキャップを装着して、キャップのフィルターを通して希釈検体液をテストデバイスに注入する際に、希釈検体液中の検体とフィルターに含浸させてある標識抗体とを接触させて免疫複合体を形成させる方法を採るものである。フィルターとしては、高密度ポリエチレン重合体濾布、ガラス繊維系濾紙、セルロース系濾紙などの一般に濾布又は濾紙として使用されている部材を用いて差し支えない。
なお、本発明において、キャップとは、少なくとも希釈検体液などを充填・収容した容器に装着可能なものであって、液体が通過可能な構造及びフィルターを内蔵可能な構造を有するものをいう。キャップの形状は、円錐様、円盤様、円筒様と円錐様の組み合わせなどの所望の形状を選択することができる。
本発明において、標識抗体をフィルターに含浸させる方法としては、フィルター部材（濾布又は濾紙）を標識抗体液に浸漬するか又は部材に標識抗体液を塗布ないし滴下するなど任意の方法を採ることができる。フィルターを工業的に生産するときは、塗布機を用いて一定量を塗布すればよい。標識抗体を含浸させてあるフィルターの作り方の一例を示すと、希釈検体液を収容した容器本体に装着するキャップの内側の形状・寸法に合わせて切り出した適宜の濾布又は濾紙に標識抗体液を十分に滴下して含浸させた後、３５℃〜３８℃で３０〜４０分間程度乾燥させて製する。なお、常温で自然乾燥させても差し支えない。
標識抗体を含浸させてあるフィルターをキャップへ内蔵する方法は任意であるが、例えば、キャップのノズル側（吐出口側）から、標識抗体を含浸させたガラス繊維系濾紙からなるフィルター、他のガラス繊維系濾紙からなるフィルター、高密度ポリエチレン重合体濾布からなるフィルターというように、標識抗体を含浸させてあるフィルターとその他のフィルターを組み合わせて多層構造に装填しても差し支えない。
本発明において、抗体を標識する呈色物質としては、酵素、貴金属コロイド、色素、着色ラテックスなど任意のものを用いて差し支えないが、貴金属コロイド粒子を用いるのが好ましく、貴金属コロイド粒子の中でも、特に、広く知られている金コロイド調製法により調製した金コロイド粒子を用いるのが好ましい。
以下、本発明に係る検体の検査方法及びその検査方法に用いる検体収容用容器について、図面に基づいてさらに説明する。
図１は、本発明の一例として、インフルエンザウイルスの検査方法及びその検査方法に用いる希釈検体液を収容する容器の説明のための模式図である。図１において、１は、希釈検体液１１を収容してあるプラスチック製の容器本体で、試験管型をしている。希釈検体液１１は、インフルエンザＡ型ウイルス抗原１Ａ（図中、菱形で示す。）とインフルエンザＢ型ウイルス抗原１Ｂ（図中、四角形で示す。）とを含む患者の鼻汁から採取した検体を緩衝液に界面活性剤などを添加して製したものである。
図１において、２は、容器本体１の口端部１２と嵌合する嵌合部２４とノズル部２５を有するプラスチック製のキャップであり、キャップ２の胴部には、ノズル部２５に近い方から、ガラス系繊維からなる濾紙に金コロイド標識抗体を含浸させてあるフィルター２１、ガラス系繊維の濾紙からなるフィルター２２、高密度ポリエチレン重合体の濾布からなるフィルター２３の順に３層構造に装填・内蔵させてある。（図中、フィルター２１の黒丸は、金コロイドを示す。また、金コロイド標識抗体液などの調製法は後記の実施例１に示す。）
３は、希釈検体液１１を収容した容器本体１にキャップ２を嵌合させて検体収容用容器とした状態を示す。４は、プラスチック製のテストデバイスであり、表面に開口部４１を有する。テストデバイスの中には、底側から、脱脂綿、吸収紙、インフルエンザウイルスＡ型及びＢ型抗体を固定化させたメンブレンを収納してある。希釈検体液１１は、検体収容用容器３内にて５分間ほど静置した後、キャップ２のノズル部２５からテストデバイス４の開口部４１へ全量を滴下する。その後、洗浄液にてメンブレンを洗浄した後、目視観察により、開口部４１へ現れるスポットの状況を検査し、インフルエンザウイルス感染の有無などを診断する。
【実施例】  以下、本発明を実施例をもってさらに詳細に説明する。なお、以下の説明中、図１の説明に対応する符号は〔〕で括って記すことにする。
【実施例１】＜本発明に基づくインフルエンザウイルス感染の有無の検査方法＞
１．試薬類の調製
（１）抗体固定化メンブレンの作製
マウス抗インフルエンザＡ型ウイルス抗体液（Ａ）、マウス抗インフルエンザＢ型ウイルス抗体液（Ｂ）、抗マウスＩｇＧ抗体液（Ｒ）のそれぞれ１μＬを、図１に示す配置でニトロセルロースメンブレン（ポアサイズ６０μｍ）上にそれぞれ独立して滴下し、乾燥させた。これにより直径およそ２ｍｍの点状に３種類の抗体をメンブレンに固定化した。さらにメンブレンを０．１％マリアリムＡＦＢ−１５２１（日本油脂製）及び２．５％スクロースを含むトリス−塩酸緩衝液（ｐＨ７．４）によりブロッキングし、抗体固定化メンブレンとした。
（２）テストデバイスの作製
図１に示すように、表面に希釈検体液を添加するための開口部［４１］が設けてあるプラスチックケース［４２］内に、底側から脱脂綿、コットン製吸収紙、抗体固定化メンブレンの順に重ね、固定されている３種類の抗体が前記開口部の中央付近に位置するように収納してテストデバイス〔４〕を製した。
なお、図１において、テストデバイス〔４〕に表示されているＡ・Ｒ・Ｂは、それぞれマウス抗インフルエンザＡ型ウイルス抗体、抗マウスＩｇＧ抗体、マウス抗インフルエンザＢ型ウイルス抗体が点状に固定化されている部位を示している。
（３）標識抗体の作製
沸騰した蒸留水にテトラクロロ金（ＩＩＩ）酸水溶液、クエン酸三ナトリウム水溶液を加えて攪拌しながら加熱した。その後、氷水中で冷却して金コロイドを製した。金コロイドの粒径はおよそ６０ｎｍであった。得られた金コロイドとマウス抗インフルエンザＡ型ウイルス抗体及びマウス抗インフルエンザＢ型ウイルス抗体（それぞれニトロセルロースメンブレンに固定した抗体とは別のエピトープを認識する抗体）をホウ酸緩衝液（ｐＨ９．０）中で混合し、室温で攪拌して標識をおこなった。前記混合液に、さらに１０％ＢＳＡ水溶液を添加してブロッキングをおこなった後、遠心により沈殿させて２種類の金コロイド標識抗体を得た。
（４）標識抗体液の調製
２種類の金コロイド標識抗体を、０．２％Ｔｗｅｅｎ２０、１．０％スクロース及び０．２％ＢＳＡを含むＰＢＳに一緒に懸濁させ、インフルエンザＡ型ウイルスに対する金コロイド標識抗体及びインフルエンザＢ型ウイルスに対する金コロイド標識抗体の両方を含有する金コロイド標識抗体液を調製した。
（５）標識抗体を含浸させてあるフィルターの作製
表１に示す部材から、ガラス繊維系濾紙Ｆ０７５−１４を選択し、キャップの内側の形状・寸法に合わせて円盤状切片（直径７．５ｍｍ）を切り出した。この円盤状切片の各々に、金コロイド標識抗体液６０μＬを滴下して自然乾燥させ、金コロイド標識抗体を含浸させてあるフィルター［２１］を作製した。
（６）標識抗体を含浸させてあるフィルターを内蔵したキャップの作製
図１に示すように、希釈検体液を供給する側から順に、高密度ポリエチレン重合体濾布からなるフィルター［２３］、ガラス繊維系濾紙からなるフィルター［２２］、金コロイド標識抗体を含浸させてあるフィルター［２１］を重ねてキャップ〔２〕内に収納し、金コロイド標識抗体を含浸させてあるフィルターを内蔵したキャップ（以下「本発明のキャップ」という。）を作製した。得られた本発明のキャップは、図１に示すように、希釈検体液［１１］を収容した容器本体〔１〕に装着して使用した。
２．ウイルスの検出方法
（１）希釈液
２％ＢＳＡを含むＰＢＳ（ｐＨ７．４）を使用した。
（２）洗浄液
１２％尿素を含むＰＢＳ（ｐＨ７．４）を使用した。
（３）検出操作
イ．インフルエンザ精製抗原（Ａ型ウイルス：Ｋｉｔａｋｙｕｓｙｕ／１５９／９３株由来、Ｂ型ウイルス：Ｌｅｅ／４０株由来）を含む希釈検体液は、それぞれのウイルスをＴＣＩＤ５０／ｔｅｓｔ単位で２×１０６〜１×１０５になるように希釈液に添加して調製した。
ロ．鼻汁検体を含む希釈検体液は、鼻汁を採取した綿体を希釈検体液１．２ｍＬが収容された容器に入れ、鼻汁成分を希釈検体液中に溶出させることで調製した。
ハ．前記イ．の工程又はロ．の工程で調製したインフルエンザ精製抗原又は鼻汁検体を含む希釈検体液１．２ｍＬを収容した容器本体〔１〕に、本発明のキャップ〔２〕を装着し、その全量をテストデバイス〔４〕の開口部［４１］内に滴下した。
ニ．希釈検体液［１１］が、抗体固定化メンブレン上に認められなくなった後、洗浄液５００μＬを開口部内に滴下し、抗体固定化メンブレンを洗浄した。
ホ．洗浄後の抗体固定化メンブレンを目視で観察し、赤色の検出スポットの有無を観察した。具体的な判定は、以下の４段階でおこなった。当該検出スポットの赤色が観察された場合、その強さにより、＋（陽性）、＋＋（強陽性）の２段階に区別し、検出スポットが明瞭でない場合は、±（判定保留）、検出スポットが観察されない場合は、−（陰性）とした。
試験例
以下、本発明を試験例をもってさらに詳細に説明する。
（試験例１）
＜部材の選択試験＞
（１）試験方法
表１に示す部材を使用し、実施例１の方法にしたがって本発明のキャップを調製した。インフルエンザ精製抗原、鼻汁検体のいずれも含まない希釈検体液１．２ｍＬを収容した容器本体に本発明のキャップを装着し、試験管に全量を滴下した。得られた濾液の５３７ｎｍにおける吸光度より濾液中の金コロイド標識抗体量を算出し、含浸した金コロイド標識抗体の量と比較して回収率を求めた。試験の結果を表１に示す。
（２）試験結果
試験結果を表１に示す。
2004081568.tif 000003
（３）考察
表１から、本実施例の方法を採れば、金コロイド標識抗体の回収率を基準として、標識抗体の大きさ、含浸量等と部材の材質、厚さなどを勘案して標識抗体を含浸させたフィルターの作製に使用可能な部材（濾布又は濾紙）を適宜選択できることが判明した。
（試験例２）
＜基本性能の確認試験＞
（１）試験方法
ＬＧ２０を濾過フィルター部材として本発明のキャップを作製し、表２に示す濃度のインフルエンザ精製抗原（Ａ型及びＢ型）を含む希釈検体液１．２ｍＬを収容した容器本体に装着して実施例１の方法にしたがって試験をおこなった。対照方法として、インフルエンザ精製抗原を含む希釈検体液を収容した容器本体にさらに金コロイド標識抗体液６０μＬを加えた後、本発明のキャップに内蔵させた標識抗体を含浸させてあるフィルターを、標識抗体を含浸させてないフィルターに交換したキャッブを装着し、試験をおこなった。試験の結果を表２に示す。
（２）試験結果
試験結果を表２に示す。
（３）考察
表２から、本発明の方法（標識抗体を含浸させてあるフィルターから希釈検体液を滴下させる方法）と対照方法（希釈検体液と標識抗体液とを混和させる従来の方法）とでは、検査精度に何ら相違がないことが確認された。したがって、本発明の方法は、対照方法と同様の性能を保持していることが判明した。
2004081568.tif 000004
（試験例３）
＜本発明の方法の効果確認試験＞
（１）試験方法
ＬＧ２０を濾過フィルター部材として、含浸させる金コロイド標識抗体液量を表３に示すように変動させて本発明のキャップを作製した。ＰＣＲ法によりインフルエンザＡ型ウイルス及びインフルエンザＢ型ウイルスが存在しないことが確認されている鼻汁検体（陰性検体）を含む希釈検体液１．２ｍＬを収容した容器本体に前記本発明のキャップを装着して、実施例１の方法にしたがって試験をおこなった。対照方法として、インフルエンザ精製抗原を含む希釈検体液を収容した容器本体に、さらに金コロイド標識抗体液を滴瓶により１〜３滴滴下した後、本発明のキャップに内蔵させた標識抗体を含浸させてあるフィルターを標識抗体を含浸させてないフィルターに交換したキャップを装着し、試験をおこなった。試験の結果を表３に示す。
（２）試験結果
試験結果を表３に示す。
2004081568.tif 000005
（３）考察
表３から、標識抗体液を３滴滴下した場合において、非特異的反応を起こす検体の存在が確認された。これに対し、本発明の方法では標識抗体の量が一定しているため、前記検体でも非特異的反応は観察されなかった。この試験から、本発明の方法によれば、標識抗体の量に起因する検出誤差を解消できることが確認された。
（試験例４）
＜標識抗体液の保存安定性の確認試験１＞
（１）試験方法
ＬＧ２０を濾過フィルター部材として、実施例１にしたがって本発明のキャップを作製し、３０℃（湿度３０％）、３７℃（湿度３０％）に保存した。保存開始０カ月、６カ月、９カ月の時点で当該キャップをインフルエンザ精製抗原（Ａ型ウイルス：Ｋｉｔａｋｙｕｓｙｕ／１５９／９３株由来、Ｂ型ウイルス：Ｌｅｅ／４０株由来）を含む希釈検体液（それぞれのウイルスＴＣＩＤ５０／ｔｅｓｔ単位で２×１０６を含む希釈検体液）１．２ｍＬを収容した容器本体に装着して実施例１の方法にしたがって試験をおこなった。対照方法として、インフルエンザ精製抗原を含む希釈検体液を収容した容器本体に、３０℃（湿度３０％）、３７℃（湿度３０％）で０カ月、６カ月、９カ月保存した金コロイド標識抗体液を滴瓶により３滴滴下した後、本発明のキャップに内蔵した標識抗体を含浸させてあるフィルターを、標識抗体を含浸させてないフィルターに交換したキャップを装着し、試験をおこなった。試験の結果を表４に示す。
（２）試験結果
試験結果を表４に示す。
（３）考察
表４に示すように、標識抗体を３７℃（湿度３０％）に保存した場合、溶液状態の保存では６カ月の保存で正確な測定が不能になるのに対して、本発明の方法で製したフィルターは９カ月保存後も正確な測定が可能であることが判明した。
2004081568.tif 000006
（試験例５）
＜標識抗体液の保存安定性の確認試験２＞
（１）試験方法
ＬＧ２０をフィルター部材として、実施例１の方法にしたがって本発明のキャップを作成した。当該本発明のキャップと金コロイド標識抗体液が収容された滴瓶を乾燥剤と一緒に気密容器に入れ、−３０℃に一昼夜保存した。室温に戻した本発明のキャップを、ＰＣＲ法によりインフルエンザＡ型ウイルス及びインフルエンザＢ型ウイルスが存在しないことが確かめられている鼻汁検体（陰性検体）を含む希釈検体液或いはインフルエンザ精製抗原（Ａ型ウイルス：Ｋｉｔａｋｙｕｓｙｕ／１５９／９３株由来、Ｂ型ウイルス：Ｌｅｅ／４０株由来、それぞれのウイルスをＴＣＩＤ５０／ｔｅｓｔ単位で２×１０６を含む）希釈検体液１．２ｍＬを収容した容器に装着して実施例１の方法にしたがって試験をおこなった。対照方法として、室温に戻した金コロイド標識抗体液を、陰性検体或いはインフルエンザ精製抗原を含む希釈検体液を収容した容器本体内に２滴滴下した後、本発明のキャップに内蔵された標識抗体を含浸させてあるフィルターを、標識抗体を含浸させてないフィルターに交換したキャップを装着し、試験をおこなった。基準方法として、−３０℃に保存した金コロイド標識抗体液に代えて、室温に保存した金コロイド標識抗体液を用い、前記対照方法と同様の操作により試験をおこなった。試験の結果を表５に示す。
（２）試験結果
試験結果を表５に示す。
2004081568.tif 000007
（３）考察
まず、金コロイド標識抗体液を−３０℃に保存後使用した対照方法では、金コロイド標識抗体液と希釈検体液の混液を、テストデバイスの開口部へ滴下する時点で、本発明のキャップに内蔵させた標識抗体を含浸させてあるフィルターを標識抗体を含浸させてないフィルターに交換したキャップが赤色に着色し、金コロイド標識抗体がフィルターに捕捉されていることが確認された。次に、対照方法では、本来「＋＋」に呈色するべきＲ部の呈色が「＋」となる一方、本来呈色の観察されるべきでない陰性検体でも呈色「＋」が確認された。このことは、金コロイド標識抗体液を−３０℃で保存すると、金コロイド標識抗体の凝集が起こること、及び非特異的な反応が発生することを示していると考えられた。これに対して、本発明の方法では、基準方法と同様の結果が得られ、−３０℃での保存でも影響を受けないことが判明した。
このようにして、試験例４及び試験例５により、本発明のキャップは標識抗体保存の安定性にすぐれているので、輸送時等の温度管理を厳密にしなくても済むことが判明した。
【産業上の利用可能性】  以上詳細に説明のとおり、本発明に係る検体の検査方法は、標識抗体を含浸させてあるフィルターを内蔵したキャップを希釈検体液を収容した容器本体に装着し、その容器から希釈検体液をテストデバイスに注入して反応を観察するので、従来の検査方法のように標識抗体液を希釈検体液に滴下する必要がなく、また、希釈検体液を第１の容器から第２の容器へ移しかえる必要がない。すなわち、すこぶる簡便な検査方法となった。その上、標識抗体液を希釈検体液に滴下する必要がないので、標識抗体液の滴下量に起因する誤差の発生を防止できる。すなわち、滴下量の個人差による反応不十分や非特異的な反応の発生を解消でき、検査精度が向上する。さらに、本発明の検査方法では、標識抗体を溶液状で長期間保存する必要がないので、標識抗体液の変質防止について配慮する必要がない。
また、本発明に係る検体収容用容器は、希釈検体液を収容するための容器本体に標識抗体を含浸させてあるフィルターを内蔵したキャップを装着したものであるから、きわめて簡単な構造でありながら、使いやすく、検査者によって検査精度が左右されないので、免疫反応を応用した検体の簡易診断用キットの構成器具として用いるのに最適である。
したがって、本発明に係る検体の検査方法及びその検査方法に用いる検体収容用器具は、インフルエンザウイルスなどのウイルス感染の有無、妊娠の判定など様々な症状の検査・診断に活用できるものである。
【図１】
2004081568.tif 000008
【国際調査報告】
2004081568.tif 000009
2004081568.tif 000010
2004081568.tif 000011
2004081568.tif 000012